(57)【要約】【課題】ブラシ本体の取付部を予め加熱しておき、ホルダーの装着穴に取付部を差し込み、装着穴の内面を溶融して固化させる化粧ブラシにおいて、ブラシ本体をホルダーに対して確実に固定し、使用状態におけるブラシ本体のぐらつきや回転を確実に防止する。【解決手段】ブラシ本体１と、ブラシ本体１を支持するホルダー２とを備えている。ブラシ本体１は、一方向に捻り合わされた芯線３と、芯線３の周りに固定したブリッスル４の一群で構成されるブラシ部５と、芯線３のブラシ部５を除く部分に形成された取付部６とで構成されている。取付部６には、これの一部を圧潰変形することによって回止め部１１が設けられている。ホルダー２に設けた装着穴１０に取付部６を差し込み装着し、取付部６の熱で装着穴１０の内面を溶融して固化させることにより、ホルダー２にブラシ本体１を分離不能に、かつ相対回転不能に一体化する。【選択図】図１
0003103692.tif 000002
【実用新案登録請求の範囲】
【請求項１】
ブラシ本体１と、ブラシ本体１を支持するホルダー２とを備えており、
ブラシ本体１が、一方向に捻り合わされた芯線３と、芯線３の周りに固定したブリッスル４の一群で構成されるブラシ部５と、芯線３のブラシ部５を除く部分に形成された取付部６とを備えており、
取付部６の一部に回止め部１１が設けられており、
ホルダー２に設けた装着穴１０に取付部６を差し込み装着し、取付部６の熱で装着穴１０の内面を溶融することにより、ブラシ本体１がホルダー２に対して分離不能に、かつ相対回転不能に一体化されていることを特徴とする化粧ブラシ。
【請求項２】
回止め部１１が、芯線３の端部近傍において、芯線３を圧潰変形することにより形成されている請求項１記載の化粧ブラシ。
【請求項３】
装着穴１０の直径寸法が、取付部６における芯線３の直径寸法より僅かに小さく設定されている請求項１または２記載の化粧ブラシ。
【考案の詳細な説明】
【技術分野】
【０００１】
本考案は、マスカラブラシに代表される化粧ブラシに関し、とくにブラシ本体とホルダーとの固定構造に特徴を有する。
【背景技術】
【０００２】
この種の化粧ブラシにおいては、プラスチック製のホルダーとブラシ本体とを別々に形成しておき、ブラシ本体の基端に設けた取付部を、ホルダーの突端に形成した装着穴に差し込み装着している。その際に、取付部とホルダーとを分離不能に固定するために、装着穴の内面を熱溶融させて取付部に密着させる手法が公知である（特許文献１、２参照）。
【０００３】
特許文献１では、取付部を予め装着穴に差し込んでおき、ホルダーの周囲に配置したコイルに高周波電流を通電して取付部を加熱し、取付部の熱で装着穴の内面を溶融させて、ブラシ本体をホルダーに固定している。
【０００４】
特許文献２では、予め加熱してある溶融ピンを装着穴に差し込んで穴内面の溶融を図り、溶融ピンを抜き取ったうえで、ブラシ本体の取付部を装着穴に差し込んで、ブラシ本体をホルダーに固定している。
【０００５】
【特許文献１】特開平１０−１１５号公報（段落番号００１２、図２）
【特許文献２】特開昭５０−１２４４６８号公報（第２頁第３欄後段、図３）
【考案の開示】
【考案が解決しようとする課題】
【０００６】
特許文献１および特許文献２の化粧ブラシによれば、取付部の周面に溶融樹脂を絡ませて、ブラシ本体をホルダーに対して分離不能に一体化できる。溶融樹脂が固化した状態では、取付部の周面に沿って、芯線の捻りピッチに一致するねじ穴状の装着穴が形成されるが、溶融樹脂が固化する過程で収縮するので装着穴が拡径状に変形し、取付部と装着穴との間に僅かな隙間が不連続状に形成されやすい。さらに、取付部の加熱温度のばらつきや、溶融樹脂層の厚みのばらつきなどによって、溶融樹脂の密着状態にばらつきを生じる。そのため、時間の経過とともにブラシ本体がぐらついたり、ブラシ本体がホルダーに対して回転することがある。このようにブラシ本体が遊動すると、マスカラ液を適確に塗布するのが難しくなる。
【０００７】
本考案の目的は、装着穴の内面が溶融して取付部に密着することによって、ブラシ本体をホルダーに固定する形態の化粧ブラシにおいて、ホルダーに対してブラシ本体を確実に固定できるようにし、使用状態におけるブラシ本体のぐらつきや回転を確実に防止することにある。
【０００８】
本考案の目的は、溶融樹脂層の厚みのばらつきや、固化過程で避けられない樹脂の収縮などがあっても、ホルダーに対してブラシ本体を遊動不能に確実に固定できる化粧ブラシを提供することにある。本考案の目的は、ブラシ本体のぐらつきや回転を防止するための構造を簡素化し、新しい機能の追加に伴うコストが少なくて済む化粧ブラシを提供することにある。
【課題を解決するための手段】
【０００９】
本考案の化粧ブラシは、ブラシ本体１と、ブラシ本体１を支持するホルダー２とを備えている。ブラシ本体１は、一方向に捻り合わされた芯線３と、芯線３の周りに固定したブリッスル４の一群で構成されるブラシ部５と、芯線３のブラシ部５を除く部分に形成された取付部６とを備えている。取付部６の一部に回止め部１１を設けてある。以て、ホルダー２に設けた装着穴１０に取付部６を差し込み装着し、取付部６の熱で装着穴１０の内面を溶融することにより、ブラシ本体１がホルダー２に対して分離不能に、かつ相対回転不能に一体化されていることを特徴とする（請求項１）。
【００１０】
図１に示すように、回止め部１１は、芯線３の端部近傍において、芯線３を圧潰変形することにより形成されている（請求項２）。装着穴１０の直径寸法は、取付部６における芯線３の直径寸法より僅かに小さく設定することができる（請求項３）。
【考案の効果】
【００１１】
本考案では、ブラシ本体１の取付部６の一部に回止め部１１を設けておき、ホルダー２に設けた装着穴１０に取付部６を差し込み装着し、取付部６の熱で装着穴１０の内面を溶融し固化させた状態において、固化した樹脂で回止め部１１を受け止めて、取付部６がぐらついたり、あるいは回転したりするのを確実に防止できるようにした。したがって、本考案の化粧ブラシによれば、たとえ溶融樹脂層の厚みのばらつきや、固化過程で避けられない樹脂の収縮などがあったとしても、回止め部１１を固化した樹脂で受け止めて、ブラシ本体１をホルダー２に対して確実に固定でき、使用状態におけるブラシ本体１のぐらつきや回転を確実に防止できる。
【００１２】
芯線３を圧潰変形することにより回止め部１１を平板状に形成したブラシ本体１によれば、回止め部１１をより簡単に形成できるので、回止め部１１を付加することに伴うコスト増加を抑止して、より安価な化粧ブラシを提供できる。芯線３の端部近傍、つまりブラシ部５から離れた取付部６の突端に回止め部１１が形成されていると、回止め部１１を含む芯線部分のみを加熱することにより、取付部６を装着穴１０に差し込み装填して穴内面を溶融できるので、加熱時にブリッスル４が変形するのを防止しながら、ブラシ本体１をホルダー２に対して適切に溶着固定できる。
【００１３】
装着穴１０の直径寸法が、取付部６における芯線３の直径寸法より僅かに小さく設定されていると、加熱した取付部６を装着穴１０に差し込むとき、回止め部１１はもちろんのこと、加熱された芯線３によっても穴内面が確実に溶融されるので、溶融樹脂を取付部６の周面に密着させて、ブラシ本体１の取付け強度をさらに向上することができる。
【考案を実施するための最良の形態】
【００１４】
図１ないし図３は本考案に係る化粧ブラシの実施例を示す。図２において、化粧ブラシは、ブラシ本体１と、ブラシ本体１を支持するホルダー２とからなる。ブラシ本体１はステンレス線材からなる芯線３と、芯線３の周りに螺旋状に固定した一群のブリッスル４とで構成される概ね円柱状のブラシ部５と、芯線３のブラシ部５を除く部分に形成される取付部６とを備えている。図２において符号１４はマスカラ液を収容する容器、１５はそのキヤップである。
【００１５】
ホルダー２は、つまみ８と、つまみ８の下側に突設した上下に長い軸部９とを一体に成形したプラスチック成形品からなり、図１に示すように軸部９の突端に、ブラシ本体１の取付部６を装着するための装着穴１０が形成されている。
【００１６】
ホルダー２は、熱を受けて溶融できるプラスチック材であればその種類を問わず，例えばポリプロピレン、ポリブチレンテレフタレート、ポリアセタールなどで成形することができる。装着穴１０の直径寸法は、撚り合わされた芯線３の外直径（1.２mm）より僅かに小さく設定し、その穴深さは取付部６の長さとほぼ同じに設定する。
【００１７】
ブリッスル４は、直径が0.１mmの化学繊維、例えばポリブチレンテレフタレート繊維、ポリアミド繊維、ポリプロピレン繊維などで形成してある。二つ折りにした芯線３の間に一群のブリッスル４を挟み込んだのち、芯線３を一方向へ捻ることにより、一群のブリッスル４を螺旋状に固定してブラシ部５の原形を形成する。この後に、ブラシ部５の周面を砥石で成形して所定形状に仕上げる。
【００１８】
得られたブラシ本体１は、取付部６を加熱したのち、ホルダー２の装着穴１０に先端側から差し込んで穴内面を溶かしながら、その溶融樹脂を取付部６の周面に密着させて固定する。この装着過程において、ホルダー２にブラシ本体１を強固に固定するために、取付部６の一部に回止め部１１が形成されている。
【００１９】
詳しくは、図１に示すように、取付部６の端部に位置する芯線３をプレス機で平板状に圧潰変形して回止め部１１を形成する。圧潰変形された回止め部１１の長さは4.５〜５mm、幅寸法は1.４〜1.５mmになっており、芯線３の直径寸法より僅かに大きい。取付部６の全長は１1.５mmである。
【００２０】
取付部６に上記形態の回止め部１１が形成されていると、加熱下の取付部６をホルダー２の装着穴１０に差し込んだ状態において、平板状の回止め部１１が装着穴１０の内面に食い込んだ状態で穴内面を溶融させることができる。さらに、回止め部１１に連続する取付部６によって装着穴１０の内面が溶融される。
【００２１】
その結果、図３に示すように、回止め部１１の幅方向両側の表裏が固化した樹脂によって受け止め固定される。そのため、穴内面が完全に固化した状態では、ブラシ本体１はホルダー２に対して回転変位せず、回止め部１１の幅方向、および厚み方向にがた付くこともない。溶融樹脂層の厚みのばらつきや、固化過程で避けられない樹脂の収縮などがあったとしても、概ね鍵穴形になるであろう固化後の装着穴１０が、回止め部１１の幅寸法より大きくなることはありえず、したがってブラシ本体１をホルダー２に遊動不能に固定して、使用状態におけるブラシ本体１のぐらつきや回転を確実に防止できる。
【００２２】
上記の装着過程において、取付部６の全体を加熱すると、取付部６に隣接するブリッスル４が変形したり、あるいは焼けたりするおそれが出る。こうした事態を避けるために、多くの場合は取付部６の基端側のみを加熱する。この実施例では、ブラシ部５から離れた取付部６の突端に回止め部１１を設定してあるので、この回止め部１１に相当する部分のみを加熱することにより、ブリッスル４の変形を伴わずにブラシ本体１をホルダー２に対して適切に溶着固定できる。
【００２３】
上記の実施例においては、芯線３を平板状に圧潰変形させて回止め部１１を形成したが、例えば、図４に示すように芯線３の一部を輪奈状に形成して回止め部１１にすることができる。図５に示すように、芯線３に外嵌装着したスリーブを平板状にかしめ固定（圧潰変形）して、回止め部１１にすることもできる。この場合のスリーブは、変形が容易な金属、例えばアルミニウムや銅などで形成すればよい。
【００２４】
また、図６に示すように芯線３の一部を折り曲げて回止め部１１とすることができる。図７に示すように撚り合わされた芯線３の片方（または両方）を基端で折り返して回止め部１１にすることもできる。このように、回止め部１１は、芯線３の周面の一部に形成してあればよく、細い溶接線材の溶滴を芯線３の表面に付着固化して形成してもよい。
【００２５】
上記の実施例では、ブラシ本体１の取付部６を直接に加熱して装着穴１０に差し込み固定したが、予め加熱してある溶融ピンを装着穴１０に差し込んで穴内面を溶融させ、溶融ピンを抜き取ったうえで、ブラシ本体１の取付部６を装着穴１０に差し込んで、ブラシ本体１をホルダー２に固定してもよい。
【００２６】
また、図４に示すように装着穴１０の断面形状を鍵穴状に形成しておいて、ブラシ本体１の取付部６を装着穴１０に差し込み装填したのち、誘導加熱によって取付部６を加熱して、穴内面を溶融させて固化することができる。この場合には、取付部６の任意の位置に回止め部１１を形成することができる。
【００２７】
上記以外に、ホルダー２の形状や構造は、実施例の構造に限定されず、例えばマスカラ液を収容する容器や、キャップの形状および構造に応じて適宜変更できる。ホルダー２は、全体がプラスチック成形品である必要はなく、少なくとも装着穴１０を含む軸部分がプラスチックであればよい。回止め部１１は複数箇所に形成することができる。
【図面の簡単な説明】
【００２８】
【図１】ブラシ本体とホルダーを分離した状態の正面図である。
【図２】化粧ブラシを示す正面図である。
【図３】図２におけるＡ−Ａ線断面図である。
【図４】取付部の変形例を示す側面図である。
【図５】取付部の別の変形例を示す側面図である。
【図６】取付部の別の変形例を示す側面図である。
【図７】取付部の別の変形例を示す側面図である。
【符号の説明】
【００２９】
１  ブラシ本体
２  ホルダー
３  芯線
４  ブリッスル
５  ブラシ部
６  取付部
１０  装着穴
１１  回止め部
【図１】
0003103692.tif 000003
【図２】
0003103692.tif 000004
【図３】
0003103692.tif 000005
【図４】
0003103692.tif 000006
【図５】
0003103692.tif 000007
【図６】
0003103692.tif 000008
【図７】
0003103692.tif 000009